(57)【要約】【課題】複数のデジタル放送受信装置が存在した場合、放送サービスのサービスリストを取得する状況によって、受信可能な放送サービス数が変わってしまい、放送サービスの選択が複雑になる。【解決手段】受信可能な放送サービスの固有情報を記録する記録手段と、外部と情報の通信を行う通信手段を備え、前記通信手段によって他のデジタル放送受信装置の記憶手段に記憶されている固有情報を取り込み、前記記録手段に記録されている固有情報の更新が可能なようにすることで、複数のデジタル放送受信装置の選局方法を同じにすることが可能になり、利用者に使い勝手の良いデジタル放送受信装置を提供する。【選択図】図１
2005223483.tif 000002
【特許請求の範囲】
【請求項１】
受信可能な放送サービスの固有情報を記録する記録手段と、外部と情報の通信を行う通信手段を備え、前記通信手段によって他のデジタル放送受信装置の記憶手段に記憶されている固有情報を取り込み、前記記録手段に記録されている固有情報の更新が可能である事を特徴とするデジタル放送受信装置。
【請求項２】
受信可能な放送サービスは、地上デジタルテレビジョン放送サービスで有ることを特徴とするデジタル放送受信装置。
【発明の詳細な説明】
【技術分野】
【０００１】
本発明は、デジタル放送受信装置に係わり、更に詳しくは地上デジタルテレビジョン放送のサービスリストの取得とサービス選局に関わる。
【背景技術】
【０００２】
従来の地上デジタル放送受信装置の構成例として例えば、図５に示すものがある（非特許文献１を参照）。
【０００３】
以下、従来の放送受信装置について図５を参照しながら説明する。
【０００４】
図５において、５０１はデジタル放送入力部、５０２は選局部、５０３はＯＦＤＭ復調部、５０４は誤り訂正部、５０５は多重分離部、５０６はＭＰＥＧデコード部、５０７は画像重畳部、５０８はＣＰＵ、５０９は通信部、５１０は通信入出力部、５１１は表示部、５１２はスピーカ部である。
【０００５】
デジタル放送入力部５０１から入力されたデジタル放送サービスは、選局部５０２で希望の放送サービスが含まれる伝送チャンネルが選局され、ＯＦＤＭ復調部５０３において復調されたのち、誤り訂正部５０４で伝送による誤りを訂正された後トランスポートパケット信号として多重分離部５０５に出力される。多重分離部５０５は、トランスポートパケット信号に含まれた映像信号、音声信号、データ放送信号、制御信号等を分離し、ＣＰＵ５０８やＭＰＥＧデコード部５０６に出力する。
【０００６】
ＭＰＥＧデコード部５０６は、多重分離された映像信号と音声信号を復号し、復号された音声信号をスピーカ部５１２へ、復号された映像信号を画像重畳部５０７に出力する。一方で、ＣＰＵ５０８はデータ放送信号の復号を行い画像重畳部５０７へ出力する。画像重畳部５０７は、復号されたデータ放送信号や映像信号を重畳し表示部５１１へ出力する。また通信部５０９は、ネットワークを介するデータ放送サービスの取得等の双方向サービス等の通信を行う。
【０００７】
地上デジタル放送の放送サービス選局については、デジタル放送受信装置の設置時において、受信可能な全ての放送局の放送サービスを取得しサービスリストを作成する必要がある。
【０００８】
以下、従来の地上デジタル放送受信装置がサービスリストを取得する例について説明する（非特許文献２を参照）。
【０００９】
地上デジタルテレビジョン放送においては、送出マスター単位でｎｅｔｗｏｒｋ＿ｉｄが異なり、ＮＩＴに他局の情報が記載されない為、地上デジタル放送受信装置は受信可能チャンネルをサーチし、ｓｅｒｖｉｃｅ＿ｉｄに基づく放送サービスのサービスリスト（受信可能周波数テーブル）を作成する必要がある。
【００１０】
図６にサービスリストを取得する一例のフローチャートを示す。
【００１１】
図６において、サービスリスト取得の動作は以下の通りである。
【００１２】
まず、始めにユーザーが視聴者居住地域を設定する。
【００１３】
次に、ユーザーのスキャン開始指示により、１３チャンネルから６２チャンネルをサーチして、サービスリストを取得する。サービスリストには、放送チャンネルの物理周波数や、ＮＩＴ内に記載してあるｒｅｍｏｔｅ＿ｃｏｎｔｒｏｌ＿ｋｅｙ＿ｉｄとｓｅｒｖｉｃｅ＿ｉｄから一意に決まるワンタッチ選局用のリモコンキー番号、ダイレクト選局用の３桁番号等が記録される。
【００１４】
３桁番号は、ｓｅｒｖｉｃｅ＿ｉｄに記載されているサービス種別とサービス番号、及びｒｅｍｏｔｅ＿ｃｏｎｔｒｏｌ＿ｋｅｙ＿ｉｄから以下のように決められる。
【００１５】
３桁番号  ＝  サービス種別×２００＋ｒｅｍｏｔｅ＿ｃｏｎｔｒｏｌ＿ｋｅｙ＿ｉｄ×１０＋（サービス番号＋１）
地上デジタルテレビジョン放送において、３桁番号は送信マスター内ではユニーク性が保証されるように放送運用がされているが、フリンジエリアでは２つ以上の異なる送信マスターの放送チャンネルを受信可能な場合が有り、その場合は３桁番号が重複する可能性がある。
【００１６】
この重複が発生した場合において同じ３桁番号の複数放送サービスを区別できるように、デジタル放送受信装置では、３桁番号に枝番を付けている。枝番は、居住地域と一致する地域識別番号の放送サービスに０を、重複した他方の放送サービスに０以外の値を割り当てる。
【００１７】
尚、放送サービスには広域放送と県域放送があり、居住地域によってはどちらの放送も居住地域内の放送サービスとなる場合もあるが、この場合は県域放送を居住地域内の放送とみなし枝番０を割り当て、広域放送には０以外の枝番を割り当てることになっている。
【００１８】
初期スキャン時における割り当て例を、図７に示す。
【００１９】
この例では、居住地域内（図７においては、域内と記す）の放送局はＡ，Ｂ，Ｃ  およびＡ’であり、Ｃ局とＡ’局は県域放送局でＡ，Ｂ局は広域放送局である。また、居住地域外（図７においては、域外と記す）の放送局はＥ，Ｆ，Ｇである。
【００２０】
それぞれの放送局には、３桁番号のサービスが存在し、この場合に割り当てられる枝番を説明する。まず、居住地域内の放送局のサービスにはそれぞれ０の枝番が割り当てられるが、Ａ局とＡ’局はｒｅｍｏｔｅ＿ｃｏｎｔｒｏｌ＿ｋｅｙ＿ｉｄが重複するので、県域放送局（地域識別：２４）のＡ’局に０を割り当て広域放送局（地域識別：０１）のＡ局に１が割り当てられる。
【００２１】
居住地域外の局では、Ｅ，Ｇ局がｒｅｍｏｔｅ＿ｃｏｎｔｒｏｌ＿ｋｅｙ＿ｉｄ  が１で重複している。これは、居住地域内の放送局のあとに追加され、枝番はそれぞれＥ局のサービスに２、Ｇ局のサービスに３が割り当てられる。Ｆ局は域内の局とｒｅｍｏｔｅ＿ｃｏｎｔｒｏｌ＿ｋｅｙ＿ｉｄもそのサービスの３桁番号も重複していないが、域外の局であるため１が割り当てられる。
【００２２】
以上のように、上記の従来のデジタル放送受信装置はサービスリストの作成を行う。
【非特許文献１】ＮＨＫ出版「知っておきたい地上デジタル放送」Ｐ６６〜Ｐ７２
【非特許文献２】「ＡＲＩＢ  ＴＲ―Ｂ１４  地上デジタルテレビジョン放送運用規定」第一分冊  第二編  ６．２．１「初期スキャン」、１０．３  「ダイレクト選局方法例」
【発明の開示】
【発明が解決しようとする課題】
【００２３】
従来のデジタル放送受信装置において、複数のデジタル放送受信装置が存在した場合、放送サービスのサービスリストを取得する状況によって、受信可能な放送サービス数が変わってしまい、例えば同じ家庭内においても特定の放送サービスが受信出来るデジタル放送受信装置と受信出来ないデジタル放送受信装置が混在する場合や、３桁番号が重複する放送サービスの枝番がデジタル放送受信装置によって異なってしまい、放送サービスの選択が複雑になる場合がある。
【００２４】
具体的には、２台のデジタル放送受信装置がある場合において、一方がサービスエリアを取得した結果、ｎ局の放送局のサービスリストを取得出来、他方の地上デジタル放送受信装置がサービスリストを取得した時に一方のデジタル放送受信装置が受信したｎ局のうちａ局が放送を停止していた場合や電波の状況が悪く受信出来なかった場合、他方のデジタル放送受信装置は（ｎ−ａ）局の放送局のサービスリストしか取得出来ない。更に受信できた局の３桁番号に付加される枝番についても、前述の通り、デジタル放送受信装置毎にサービスリストの内容が異なってしまう。
【課題を解決するための手段】
【００２５】
この課題を解決するために本発明は、受信可能な放送サービスの固有情報を記録する記録手段と、外部と情報の通信を行う通信手段を備え、前記通信手段によって他のデジタル放送受信装置の記憶手段に記憶されている固有情報を取り込み、前記記録手段に記録されている固有情報の更新が可能なようにした。
【発明の効果】
【００２６】
以上のように本発明によれば、受信可能な放送サービスの固有情報を記録する記録手段と、外部と情報の通信を行う通信手段を備え、前記通信手段によって他のデジタル放送受信装置の記憶手段に記憶されている固有情報を取り込み、前記記録手段に記録されている固有情報の更新が可能なようにすることで、通信手段で結ばれているデジタル放送受信装置のサービスリストの内容を同じにすることができる。
【発明を実施するための最良の形態】
【００２７】
本発明は、受信可能な放送サービスの固有情報を記録する記録手段と、外部と情報の通信を行う通信手段を備え、前記通信手段によって他のデジタル放送受信装置の記憶手段に記憶されている固有情報を取り込み、前記記録手段に記録されている固有情報の更新が可能なようにすることで、複数のデジタル放送受信装置の選局方法を同じにすることが可能になり、利用者に使い勝手の良いデジタル放送受信装置を提供する目的を、本発明のデジタル放送受信装置で実現した。
【００２８】
（実施の形態１）
以下に本発明のデジタル放送装置の、第１の実施の形態例について図１、図２、図３、図４を用いて説明する。ここでは例として日本での地上デジタルテレビ放送について述べる。
【００２９】
図１において、１は第一のデジタル放送受信装置、２は第二のデジタル放送受信装置で、それぞれ図５に示されたデジタル放送受信装置と同様の構成になっている。また、３は前記第一のデジタル放送受信装置１と前記第二のデジタル放送受信装置２を接続する通信媒体であり、通信部５０９が通信入出力部５１０を介して双方向に通信可能なように接続されている。
【００３０】
以上の様に構成されたデジタル放送受信装置において、以下その動作を説明する。
【００３１】
従来例で説明した通り、従来の地上デジタル放送受信装置は、放送サービスのサービスリスト作成時に受信可能な放送サービスをサービスリストに記憶するために、サービスリスト作成時の放送サービスの状況によってサービスリストの内容が異なる場合が有る。
【００３２】
図２（ａ）は、図１に示す第一のデジタル放送受信装置１が７つの放送局を受信可能な時に作成したサービスリストの例、図２（ｂ）は図１に示す第二のデジタル放送受信装置２が６つの放送局を受信可能な時に作成したサービスリストの例である。この場合、図２（ａ）、図２（ｂ）に示されるように、第二のデジタル放送受信装置のサービスリストにはＥ局の放送サービスが記録されておらず、Ｅ局のサービスを選局出来ない。また、Ｇ局については、第一のデジタル放送受信装置１と第二のデジタル放送受信装置２の枝番が異なり、それぞれのデジタル放送受信装置毎に異なった選局方法を行う必要があった。
【００３３】
本発明においては、図１に示す通り、第一のデジタル放送受信装置１と第二のデジタル放送受信装置２が通信媒体３によって双方向に通信可能な状態で繋がっており、それぞれ一方と他方のサービスリストの内容を合わせる処理を行う。
【００３４】
具体的な例を図３のフローチャートに示す。この例では、受信可能な放送サービスが多い第一のデジタル放送受信装置１のサービスリストに合わせて、受信可能な放送サービスが少ないサービスリストを持つ第二のデジタル放送受信装置がサービスリストの内容を更新している。
【００３５】
上記処理を行った結果が図４（ａ）、図４（ｂ）である。
【００３６】
図１に示す第二のデジタル放送受信装置２が取得した図２（ｂ）のサービスリストが、図１の通信媒体３で接続された第一のデジタル放送受信装置１が取得した図２（ａ）のサービスリストの内容に更新されることによって、図４（ａ）、図４（ｂ）に示す通り、第一、第二のデジタル放送受信装置のサービスリストの内容を同じにする事ができ、複数のデジタル放送受信装置の選局動作を同じにすることが可能になる。
【００３７】
これにより、ユーザーが複数のデジタル放送受信装置を有していても、同じ選局動作をする事が可能になる。
【産業上の利用可能性】
【００３８】
以上のように本発明によれば、家庭内などで複数のデジタル放送受信装置を使用している場合において、放送サービスの選局方法を共通化、また簡易化することによって優しい放送を目指すデジタル放送分野において有用である。
【図面の簡単な説明】
【００３９】
【図１】本発明の実施の形態１に係るデジタル放送受信装置の構成を示すブロック図
【図２】従来のデジタル放送受信装置により取得されたサービスリストを示す図
【図３】本発明の実施の形態１に係るデジタル放送受信装置の動作フローを示す図
【図４】本発明の実施の形態１に係るデジタル放送受信装置により更新されたサービスリストを示す図
【図５】従来のデジタル放送受信装置の構成を示すブロック図
【図６】従来のデジタル放送受信装置の動作フローを示す図
【図７】従来のデジタル放送受信装置により取得されたサービスリストを示す図
【図８】従来のデジタル放送受信装置により取得されたサービスリストを示す図
【符号の説明】
【００４０】
１    第一のデジタル放送受信装置
２    第二のデジタル放送受信装置
３    通信媒体
５０１    デジタル放送入力部
５０２    選局部
５０３    ＯＦＤＭ復調部
５０４    誤り訂正部
５０５    多重分離部
５０６    ＭＰＥＧデコード部
５０７    画像重畳部
５０８    ＣＰＵ
５０９    通信部
５１０    通信入出力部
５１１    表示部
５１２    スピーカ部
【図１】
2005223483.tif 000003
【図２】
2005223483.tif 000004
【図３】
2005223483.tif 000005
【図４】
2005223483.tif 000006
【図５】
2005223483.tif 000007
【図６】
2005223483.tif 000008
【図７】
2005223483.tif 000009
【図８】
2005223483.tif 000010